(57)【要約】【課題】受信装置が有するハードディスクの一定領域をレンタルし、受信装置のユーザがデータの更新や記録ができなかった。【解決手段】ユーザがデータの記録または削除ができない記憶領域である第一記憶部と、ユーザがデータの記録または削除ができる記憶領域である第二記憶部を有する受信装置であって、第一記憶部はユーザインターフェイス制御情報を保持しており、第二記憶部は外部から受信したボタンの図柄の情報である図柄情報とプログラムを保持しており、ユーザインターフェイス制御情報とボタンの図柄情報を読み込んで、ボタンを有するメニュー画面を表示し、当該ボタンの指示によりプログラムが実行される受信装置と、受信装置に、図柄情報、または図柄情報およびプログラムを送信する放送装置により、メニュー画面のボタン領域に対するレンタルが可能となる。【選択図】　図２
2004139497.tif 000002
【特許請求の範囲】
【請求項１】
ユーザがデータの記録または削除ができない記憶領域である第一記憶部と、ユーザがデータの記録または削除ができる記憶領域である第二記憶部を有する受信装置であって、
前記第一記憶部には、ユーザが操作するユーザインターフェイスの制御に関する情報であり、ボタンの制御情報を有するユーザインターフェイス制御情報を保持しており、
前記第二記憶部には、外部から受信したボタンの図柄の情報である図柄情報と、プログラムを保持しており、
前記ユーザインターフェイス制御情報と前記ボタンの図柄情報を読み込んで、ボタンを有するメニュー画面を表示し、当該ボタンの指示により前記プログラムが実行される受信装置。
【請求項２】
前記プログラムは、外部から受信したものである請求項１記載の受信装置。
【請求項３】
前記プログラムは、サーバ装置が保持しているデータを取得して出力するプログラムである請求項１または請求項２いずれか記載の受信装置。
【請求項４】
請求項１から請求項３いずれか記載の受信装置に、図柄情報、または図柄情報およびプログラムを送信する送信装置であって、
当該図柄情報、または図柄情報およびプログラムを格納すべき受信装置を識別する受信装置識別子を添付して図柄情報、または図柄情報およびプログラムを送信する送信装置。
【請求項５】
請求項４記載の送信装置が送信する図柄情報、または図柄情報およびプログラムを受信する図柄情報等受信部と、
前記図柄情報、または図柄情報およびプログラムの受信に対して課金料を算出する課金装置。
【請求項６】
請求項１から請求項３いずれか記載の受信装置に、前記図柄情報、または図柄情報およびプログラムの送信に対して課金する課金方法。
【請求項７】
請求項１から請求項３いずれか記載の受信装置に、ボタン領域のレンタルに対して課金する課金方法。
【発明の詳細な説明】
【０００１】
【発明の属する技術分野】
本発明は、情報を受信して蓄積する受信装置等に関する。
【０００２】
【従来の技術】
従来、番組および番組の属性を示す番組属性を受信する受信部と、前記番組属性に対応する記憶領域を保持し、当該記憶領域に前記番組を記憶する番組記憶部と、受信部で受信した番組を受信部で受信した番組属性に対応する番組記憶部の記憶領域に蓄積する蓄積制御部とを具備することを特徴とする番組受信装置と、容量情報および容量情報の送信元を識別する送信元識別子を有する送信元情報を受信する送信元情報受信部と、送信元情報が有する送信元識別子で識別される送信元に還元すべき費用を送信元情報が有する容量情報をパラメ−タとして算出する還元算出部とを具備する蓄積放送課金装置により、受信装置が有するハードディスクの一定領域をレンタルする、いわゆる受信装置のプロバイダー領域のレンタル事業を支援するシステムがあった（特許文献１）。本受信装置は、大容量のハードディスクを有する蓄積型の受信装置であり、ハードディスクの一部はプロバイダー領域と言われ、ユーザがアクセスできない領域である。プロバイダー領域は、企業などにレンタルされる。プロバイダー領域をレンタルした企業は、自社の広告情報を強制的に受信装置に蓄積し、ユーザに受信装置を通して、広告情報を視聴してもらうことができる。なお、大容量のハードディスクには、ユーザがアクセス可能な領域も存在する。
【０００３】
【特許文献１】
特開２００１−２５１５７６号公報（第１頁等、第１図等）
【０００４】
【発明が解決しようとする課題】
しかし、上記従来技術は、受信装置が有するハードディスクの一定領域をレンタルし、受信装置のユーザがデータの更新や記録ができない仕組みであるので、多数の企業や個人が受信装置の領域をレンタルできないために、バラエティーに富んだ面白いコンテンツを受信装置で楽しむことへの限界があった。また、レンタル料が高くなるため、気軽に受信装置が有するハードディスクの一定領域をレンタルできなかった。
【０００５】
【課題を解決するための手段】
そこで、ユーザがデータの記録または削除ができない記憶領域である第一記憶部と、ユーザがデータの記録または削除ができる記憶領域である第二記憶部を有する受信装置であって、第一記憶部には、ユーザが操作するユーザインターフェイスの制御に関する情報であり、ボタンの制御情報を有するユーザインターフェイス制御情報を保持しており、第二記憶部には、外部から受信したボタンの図柄の情報である図柄情報と、プログラムを保持しており、ユーザインターフェイス制御情報とボタンの図柄情報を読み込んで、ボタンを有するメニュー画面を表示し、当該ボタンの指示によりプログラムが実行される受信装置と、受信装置に、図柄情報、または図柄情報およびプログラムを送信する送信装置であって、当該図柄情報、または図柄情報およびプログラムを格納すべき受信装置を識別する受信装置識別子を添付して図柄情報、または図柄情報およびプログラムを送信する送信装置と、図柄情報、または図柄情報およびプログラムを受信する図柄情報等受信部と、図柄情報、または図柄情報およびプログラムの受信に対して課金料を算出する課金装置により、メニュー画面のボタン領域に対するレンタルが可能となり、多数の企業や個人が受信装置の領域をレンタルできる結果、バラエティーに富んだ面白いコンテンツを受信装置で楽しむことができ、また、レンタル料が安価になる。
【０００６】
【発明の実施の形態】
以下、送受信システム等の実施形態について図面を参照して説明する。なお、実施の形態において同じ符号を付した構成要素は同様の動作を行うので、再度の説明を省略する場合がある。
【０００７】
図１は、本送受信システムの概念図である。送受信システムは、送信装置１１、受信装置１２、サーバ装置１３、課金装置１４を有する。受信装置１２は、１以上存在する。
【０００８】
図２は、本送受信システムのブロック図である。送信装置１１は、送信情報保持部１１０１、情報送信部１１０２を具備する。受信装置１２は、第一記憶部１２０１、第二記憶部１２０２、入力受付部１２０３、レンタル希望情報送信部１２０４、情報受信部１２０５、情報蓄積部１２０６、メニュー表示部１２０７、プログラム実行部１２０８を具備する。サーバ装置１３は、データ保持部１３０１、データ送信部１３０２を具備する。課金装置１４は、レンタル希望情報受信部１４０１、課金料算出部１４０２を有する。
【０００９】
送信情報保持部１１０１は、受信装置１２に向けて送信する情報である送信情報を保持している。送信情報は、ボタンの図柄の情報である図柄情報、または図柄情報およびプログラム、および当該情報を受信して蓄積する受信装置を識別する受信装置識別子を有する。なお、図柄情報、プログラム、および受信装置識別子は、通常、受信装置１２のユーザが外部に送信した情報であり、直接にまたは間接に送信装置１１が受け取り、保持している。受信装置識別子は、２以上存在し得る。送信情報保持部１１０１は、不揮発性の記録媒体が好適であるが、揮発性の記録媒体でも実現可能である。
【００１０】
情報送信部１１０２は、送信情報保持部１１０１で保持している送信情報を受信装置１２に向けて送信する。情報送信部１１０２は、通常、ＣＡＴＶやインターネット放送を含む放送手段で実現され得る。但し、情報送信部１１０２は、通信手段でも実現可能である。
【００１１】
第一記憶部１２０１は、ユーザがデータの記録または削除ができない記憶領域である。第一記憶部１２０１は、通常、ハードディスクなどの不揮発性の記録媒体である。
【００１２】
第二記憶部１２０２は、ユーザがデータの記録または削除ができる記憶領域である。第二記憶部１２０２は、通常、ハードディスクなどの不揮発性の記録媒体である。また、第二記憶部１２０２と第一記憶部１２０１は、通常、一の記録媒体であり、それぞれの領域が区切られている。大容量のハードディスクが好適である。
【００１３】
入力受付部１２０３は、ユーザからの各種の入力を受け付ける。入力とは、例えば、ボタンの図柄情報を有するボタン領域のレンタルの意思を示す情報であるレンタル希望情報の入力である。また、入力とは、例えば、図柄情報とプログラムを有するボタン領域のレンタルの意思を示す情報であるレンタル希望情報の入力である。当該プログラムは、当該プログラムと共に送信される図柄情報で識別されるボタンが指示された場合に実行されるプログラムである。また、入力とは、例えば、メニュー画面の表示指示を示す入力である。また、入力とは、例えば、ボタンを指示する入力である。入力受付部１２０３は、リモコンやキーボード等の入力手段のドライバーソフト等で実現し得る。
【００１４】
レンタル希望情報送信部１２０４は、入力受付部１２０３でレンタル希望情報の入力があった場合に、ボタン領域のレンタルの意思を示す情報であるレンタル希望情報を送信する。レンタル希望情報は、通常、図柄情報を含む。また、レンタル希望情報のデータ構造は問わない。レンタル希望情報送信部１２０４は、通常、無線または有線の通信手段で実現される。但し、放送手段で実現しても良い。
【００１５】
情報受信部１２０５は、図柄情報、または図柄情報とプログラムを受信する。情報受信部１２０５は、主として、放送を受信する手段で実現される。放送には、デジタル放送、アナログ放送、ＣＡＴＶやインターネット放送等も含まれる。なお、情報受信部１２０５は、通信手段でも実現可能である。
【００１６】
情報蓄積部１２０６は、情報受信部１２０５が受信した情報を第二記憶部１２０２に蓄積する。情報蓄積部１２０６は、通常、ＭＰＵやメモリ等から実現され得る。情報蓄積部１２０６が情報を蓄積するための処理手順は、通常、ソフトウェアで実現され、当該ソフトウェアはハードディスク等の記録媒体に記録されている。但し、ハードウェア（専用回路）で実現しても良い。
【００１７】
メニュー表示部１２０７は、入力受付部１２０３でメニュー画面の表示指示を示す入力を受け付けた場合に、メニュー画面を表示する。かかるメニュー画面の表示のためのユーザインターフェイス制御情報は、第一記憶部１２０１から読み出し、ボタンの図柄は第二記憶部１２０２から読み出して、メニュー画面を構成する。ユーザインターフェイス制御情報は、ユーザインターフェイスを構成する情報であり、例えば、ＨＴＭＬで記述されている。また、ユーザインターフェイス制御情報は、ユーザインターフェイスを構成するビットマップデータでも良い。メニュー表示部１２０７は、通常、ＭＰＵやメモリ等から実現され得る。メニュー表示部１２０がメニュー画面を表示するための処理手順は、通常、ソフトウェアで実現され、当該ソフトウェアはハードディスク等の記録媒体に記録されている。但し、ハードウェア（専用回路）で実現しても良い。
【００１８】
プログラム実行部１２０８は、入力受付部１２０３でボタンを指示する入力を受け付けた場合に、当該ボタンに対応するプログラムを実行する。通常、このプログラムは、サーバ装置１３が保持しているデータを取得して出力するプログラムである。また、データとは、例えば、電子アルバムの写真データである。また、プログラムは、送信装置１１が送信したプログラムである場合もあるし、予め受信装置１２が保持しているプログラムである場合もある。プログラム実行部１２０８は、通常、ＭＰＵやメモリ等から実現され得る。プログラム実行部１２０８がプログラムを実行するための処理手順は、通常、ソフトウェアで実現され、当該ソフトウェアはハードディスク等の記録媒体に記録されている。但し、ハードウェア（専用回路）で実現しても良い。
【００１９】
データ保持部１３０１は、データを保持している。データ保持部１３０１は、不揮発性の記録媒体が好適であるが、揮発性の記録媒体でも実現可能である。
【００２０】
データ送信部１３０２は、受信装置１２の指示により、データ保持部１３０１が保持しているデータを受信装置１２に送信する。データ送信部１３０２は、主として、放送手段である。放送とは、上述したとおりである。なお、データ送信部１３０２は、通信手段でも実現可能である。
【００２１】
レンタル希望情報受信部１４０１は、受信装置１２からレンタル希望情報を受信する。レンタル希望情報受信部１４０１は、通常、無線または有線の通信手段で実現される。但し、レンタル希望情報受信部１４０１は、放送を受信する手段で実現しても良い。
【００２２】
課金料算出部１４０２は、レンタル希望情報受信部１４０１でレンタル希望情報を受信した場合に、ボタン領域のレンタルに対応する課金料を算出する。課金料算出部１４０２が課金料を算出するアルゴリズムは種々考えられる。課金料算出アルゴリズムの具体例は以下で説明する。課金料算出部１４０２は、通常、ＭＰＵやメモリ等から実現され得る。課金料算出部１４０２が課金料を算出するための処理手順は、通常、ソフトウェアで実現され、当該ソフトウェアはハードディスク等の記録媒体に記録されている。但し、ハードウェア（専用回路）で実現しても良い。
【００２３】
次に、本送受信システムの動作について説明する。まず、送信装置１１の動作について説明する。送信装置１１の情報送信部１１０２は、送信情報保持部１１０１で保持されている送信情報を取得し、送信する。送信情報の送信するタイミングは、通常、予め決められた時刻であるが、送信タイミングは問わない。
【００２４】
次に、受信装置１２の動作について図３のフローチャートを用いて説明する。
【００２５】
（ステップＳ３０１）情報受信部１２０５は、送信情報を受信したか否かを判断する。送信情報を受信すればステップＳ３０２に行き、送信情報を受信しなければステップＳ３０７に飛ぶ。
【００２６】
（ステップＳ３０２）情報蓄積部１２０６は、ステップＳ３０１で受信した送信情報から図柄情報を取得する。
【００２７】
（ステップＳ３０３）情報蓄積部１２０６は、ステップＳ３０２で取得した図柄情報を第二記憶部１２０２に蓄積する。
【００２８】
（ステップＳ３０４）情報蓄積部１２０６は、ステップＳ３０１で受信した送信情報がプログラムを含むか否かを判断する。プログラムを含めばステップＳ３０５に行き、プログラムを含まなければステップＳ３０１に戻る。
【００２９】
（ステップＳ３０５）情報蓄積部１２０６は、ステップＳ３０１で受信した送信情報からプログラムを取得する。
【００３０】
（ステップＳ３０６）情報蓄積部１２０６は、ステップＳ３０５で取得したプログラムを第二記憶部１２０２に蓄積する。
【００３１】
（ステップＳ３０７）入力受付部１２０３は、ユーザから入力を受け付けたか否かを判断する。ユーザから入力を受け付ければステップＳ３０８に行き、ユーザから入力を受け付けなければステップＳ３０１に戻る。
【００３２】
（ステップＳ３０８）ステップＳ３０７で受け付けた入力が、ボタン領域のレンタルの意思を示す情報であるレンタル希望情報の入力であるか否かを判断する。レンタル希望情報の入力であればステップＳ３０９に行き、レンタル希望情報の入力でなければステップＳ３１１に飛ぶ。
【００３３】
（ステップＳ３０９）レンタル希望情報送信部１２０４は、入力されたレンタル希望情報から送信するレンタル希望情報を構成する。つまり、ユーザが入力したレンタル希望情報と送信するレンタル希望情報は、構造や若干の内容が異なる場合もあり得る。
【００３４】
（ステップＳ３１０）レンタル希望情報送信部１２０４は、ステップＳ３０９で構成したレンタル希望情報を課金装置１４に送信する。
【００３５】
（ステップＳ３１１）ステップＳ３０７で受け付けた入力が、メニュー表示指示の入力であるか否かを判断する。メニュー表示指示の入力であればステップＳ３１２に行き、メニュー表示指示の入力でなければステップＳ３１４に飛ぶ。
【００３６】
（ステップＳ３１２）メニュー表示部１２０７は、メニュー画面の表示のためのユーザインターフェイス制御情報を第一記憶部１２０１から読み出し、ボタンの図柄情報を第二記憶部１２０２から読み出して、メニュー画面を構成する。
【００３７】
（ステップＳ３１３）メニュー表示部１２０７は、ステップＳ３１２で構成したメニュー画面を表示する。
【００３８】
（ステップＳ３１４）ステップＳ３０７で受け付けた入力が、ボタン指示の入力であるか否かを判断する。ボタン指示の入力であればステップＳ３１５に行き、ボタン指示の入力でなければステップＳ３０１に戻る。
【００３９】
（ステップＳ３１５）プログラム実行部１２０８は、指示されたボタンに対応するプログラムを第二記憶部１２０２から読み込む。
【００４０】
（ステップＳ３１６）プログラム実行部１２０８は、ステップＳ３１５で読み込んだプログラムを実行する。
【００４１】
なお、図３のフローチャートにおいて、電源オフなどの割り込みにより処理は終了する。なお、ステップＳ３１６のプログラム実行は、通常、サーバ装置１３のデータを取得して、当該データを出力するプログラムである。
【００４２】
次に、サーバ装置１３の動作について説明する。受信装置１２のプログラム実行により、サーバ装置１３のデータ送信部１３０２はデータ保持部１３０１が保持しているデータを取得し、当該データを受信装置１２に送信する。
【００４３】
次に、課金装置１４の動作について説明する。課金装置１４のレンタル希望情報受信部１４０１は、受信装置１２からレンタル希望情報を受信し、レンタルするボタン領域に対する課金料を算出する。課金料の算出アルゴリズムの例は、以下で述べる。
【００４４】
以下、本実施の形態における送受信システムの具体例について説明する。本送受信システムの概念図を図４に示す。図４において、本送受信システムにおける処理の手順も記載している。
【００４５】
今、受信装置の第一記憶部に図５に示すユーザインターフェイス制御情報が記録されている。本ユーザインターフェイス制御情報は、メニュー画面の枠組みを構成する定義である。また、第一記憶部は、図５のユーザインターフェイス制御情報を解釈実行してメニュー画面を表示したり、ユーザ指示を受け付けて画面遷移やフォーカス移動を行ったりするユーザインターフェイス制御を行うプログラムも含む。
【００４６】
図５には、ボタン１１、ボタン１２、ボタン１３、ボタン２１、ボタン２２、ボタン２３の５つのボタンが定義されている。ボタン１１、ボタン１２等は、ボタンを識別するボタン識別子である。また、＜ｍｅｎｕ　ｔｅｘｔ＝”ユーザレンタル画面”＞の文字列「ユーザレンタル画面」は、メニュー画面に表示されるタイトルの文字列である。さらに、＜ｂｕｔｔｏｎ　ｘ＝１０　ｙ＝５０　ｈ＝２０　ｗ＝５０＞のｘ、ｙの値は画面上の座標位置を示す、ｈの値はボタンの高さの値、ｗの値はボタンの幅の値である。具体的には、ボタン１１の表示位置は（１０，５０）であり、ボタン１１の高さは２０、幅は５０である。
【００４７】
図５のメニュー画面の枠組みを示すユーザインターフェイス制御情報を解釈実行した結果を図６に示す。図６は、メニュー画面の枠、ボタンの枠を表示した例である。
【００４８】
次に、図４の処理▲１▼を説明する。受信装置のユーザは、受信装置の画面上に表示されるボタンの領域をレンタルしたいと考える。かかる場合、ユーザは、例えば、ボタンレンタルの事業を行うプロバイダーのホームページをアクセスし、図７の画面を受信装置に表示させる。
【００４９】
次に、ユーザは、ボタンの図柄、ボタンに表示されるテキスト（ボタンのテキスト）、実行プログラム名、受信する装置識別子、レンタル期間を入力して、「申込」ボタンを押下する。実行プログラム名で入力したプログラム名で識別されるプログラムは、レンタルしたボタンを画面上で指示した時に実行されるプログラムである。受信する装置識別子は、申し込んだボタンの情報を受信する受信装置を識別する情報である。
【００５０】
図７の入力した情報に基づいて表示されるメニュー画面中のボタンは、タイプ１の図柄を有し、当該ボタン上に表示される文字列は「Ａさん家のアルバム」という文字列である。また、当該ボタンを指示したときには、「電子アルバム」というプログラムが実行される。「電子アルバム」というプログラムは、既存の電子アルバムのソフトウェアと同様であり、画像データを蓄積して、出力等する機能を有する。
【００５１】
また、当該ボタンを受信して、蓄積する（つまり、ボタンを利用できる）受信装置は、「１２３００１」「１２５０３７」という受信装置識別子で識別される受信装置だけである。例えば、「１２３００１」は「Ａさん家」の受信装置であり、「１２５０３７」は「Ａさんの祖父母の家」の受信装置である。また、このレンタル期間は「２００２／１０／１」から「２００２／１２／末」であるので、契約の更新がない限り、「２００３／１／１」には、「Ａさん家」の受信装置や「Ａさんの祖父母の家」の受信装置から送信情報（図柄情報等）は、削除される。
【００５２】
図７の画面における情報の入力によりレンタル希望情報が構成され、課金装置に送信される。レンタル希望情報は、図７のすべての情報と、送信した受信装置の受信装置識別子（ここでは「１２３００１」）を有する情報である。
【００５３】
課金装置は、レンタル希望情報を受信し、受信したレンタル希望情報が有する受信装置識別子（レンタル希望情報を送信した受信装置の受信装置識別子）で識別される受信装置に対してボタンのレンタル料（課金料）を算出し、課金する（図４の処理▲２▼）。その際、課金料は、例えば、「レンタル期間（月数）×送信情報を受信する受信装置数×１０００円」の式により、算出される。図７で入力されたレンタル希望情報の場合、レンタル期間（月数）は２、受信装置数も２であるので、受信装置識別子「１２３００１」で識別される受信装置に課金されるレンタル料は４０００円である。なお、ボタンレンタルの課金料算出のアルゴリズムは問わない。例えば、ボタンの図柄や実行プログラムやボタンのテキストの文字数等に基づいて課金料を変えても良い。
【００５４】
次に、受信装置は、サーバ装置にＡさん家のアルバムに登録する新しい１以上の写真データを送信し、新しい電子アルバムを構築する。サーバ装置には、Ａさん家の電子化されている多数の写真が登録される（図４の処理▲３▼）。
【００５５】
以上の処理により、課金装置には、図８のボタンレンタル情報管理表が構築される。図８のボタンレンタル情報管理表は、４つのレンタル希望情報を受信し、４つのボタン領域が一部のユーザにレンタルされている状態を示す。課金装置が、どのボタン識別子で識別されるボタン領域に、受信したレンタル希望情報を割り当てるかは、種々考えられる。ここでは、受信したレンタル希望情報のボタン領域への割り当て方法は問わない。
【００５６】
また、図８のボタンレンタル情報管理表は１以上のボタンレンタル情報を有する。ボタンレンタル情報は、「ＩＤ」「ボタン識別子」「図柄情報」「実行プログラム」「受信装置識別子」「レンタルユーザＩＤ」「レンタル期間」「課金料」を有する。「ＩＤ」はボタンレンタル情報を識別する情報であり、表管理上必要である。「ボタン識別子」は、レンタルするボタン領域を示す情報である。「図柄情報」は、ボタンの図柄とボタンに表示されるテキストを示す。「実行プログラム」は、ボタンが指示された場合に実行されるプログラムを示す。「受信装置識別子」は、送信装置が受信装置に向けて送信する送信情報を受信して、蓄積する受信装置を識別する情報である。「レンタルユーザＩＤ」は、ボタンのレンタルを申し込んだユーザを識別する情報であり、ここでは、当該ユーザの受信装置識別子である。「レンタル期間」は、ボタン領域をレンタルする期間を示す。「課金料」はボタン領域のレンタルに対応して課金される金額を示す。
【００５７】
そして、課金装置が構成したボタンレンタル情報が何らかの手段により送信装置に到着する。ボタンレンタル情報は、通信手段や記録媒体や人手により送信装置に格納される。
【００５８】
次に、送信装置は、ボタンレンタル情報から図９に示す送信情報を構成する。送信情報は、送信情報の一部または全部を受信して、蓄積する受信装置の数（図９では「２」）、受信装置識別子、図柄情報、ボタン識別子を有する。受信装置識別子は、送信情報の一部または全部を受信して、蓄積する受信装置を識別する情報である。受信装置は当該受信装置識別子と自身の受信装置識別子を比較して、一致等の一定の関係がある場合に、図柄情報とボタン識別子等を蓄積する。図柄情報は、ボタンの図柄、ボタン上の文字列を示す。ボタン識別子は、ボタン領域の情報である。次に、送信装置は図９に示す送信情報を放送する。
【００５９】
そして、受信装置は、図９の送信情報を受信し、自身の受信装置識別子と、送信情報が含む受信装置識別子を比較して、一致等の一定の関係がある場合に、図柄情報とボタン識別子等を受信装置の第二記憶部に蓄積する（図４の処理▲５▼）。受信装置が蓄積する図柄情報とボタン識別子等の例を図１０に示す。図１０は、ボタン識別子、図柄、テキストを含む。なお、図９の送信情報を受信し、図１０の情報を蓄積する受信装置は、Ａさん家の受信装置と、Ａさんの祖父母の受信装置だけである。
【００６０】
Ａさん家の受信装置、またはＡさんの祖父母の受信装置において、メニュー画面の表示指示の入力をした場合に、図１１のメニュー画面が表示される。受信装置は、第一記憶部のユーザインターフェイス制御情報を読み込み、第二記憶部の図柄情報とプログラムを読み込む。そして、受信装置は図１１のメニュー画面を表示する。
【００６１】
図１１のメニュー画面によれば、右上のボタン領域（ボタン１１の領域）に「Ａさん家のアルバム」が登録されている。ユーザがこのボタンを指示すれば、電子アルバムのプログラムが実行され、受信装置は、サーバ装置に存在するＡさん家の電子アルバムを取得し、表示する（図１２参照）。以上の処理により、Ａさん家、およびＡさんの祖父母の家において、Ａさん家の電子アルバムをいつでも簡単に楽しむことができる。これにより、孫の運動会等の写真などを手軽に祖父母も楽しむことができる。
【００６２】
以上、本実施の形態によれば、ボタン領域をレンタルできる仕組みを提供することにより、限られた記憶容量しかもたない記録媒体を多数のユーザが共有でき、かつ、ユーザにとっては安価にアプリケーション実行ボタンを得ることができる。
【００６３】
なお、本実施の形態において、ボタンに対応付けて実行されるプログラムは、電子アルバムのプログラムに問わないのは言うまでもない。
また、本実施の形態において、図柄情報とは、ボタンの表示に用いられる情報の全般を言う。つまり、図柄情報とは、静止画情報を必ず含む必要はなく、テキスト（テキストボタンを構成する情報）、動画情報（動画のボタンを構成する情報）、グラフィック情報、およびそれらの組み合わせの情報等でも良い。
【００６４】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。
【発明の効果】
以上のように、本発明によれば、メニュー画面のボタン領域に対するレンタルが可能となり、多数の企業や個人が受信装置の領域をレンタルできる結果、バラエティーに富んだ面白いコンテンツを受信装置で楽しむことができ、また、レンタル料が安価になる。
【図面の簡単な説明】
【図１】実施の形態における送受信システムの概念図
【図２】実施の形態における送受信システムのブロック図
【図３】実施の形態における受信装置の動作について説明するフローチャート
【図４】実施の形態における送受信システムの概念図
【図５】実施の形態におけるユーザインターフェイス制御情報の例を示す図
【図６】実施の形態におけるメニュー画面の枠やボタンの枠を表示例を示す図
【図７】実施の形態におけるレンタル希望情報入力画面例を示す図
【図８】実施の形態におけるボタンレンタル情報管理表を示す図
【図９】実施の形態における送信情報を示す図
【図１０】実施の形態における受信装置が蓄積する図柄情報とボタン識別子等の例を示す図
【図１１】実施の形態におけるメニュー画面の例を示す図
【図１２】実施の形態における電子アルバムの表示例を示す図
【符号の説明】
１１　送信装置
１２　受信装置
１３　サーバ装置
１４　課金装置
１１０１　送信情報保持部
１１０２　情報送信部
１２０１　第一記憶部
１２０２　第二記憶部
１２０３　入力受付部
１２０４　レンタル希望情報送信部
１２０５　情報受信部
１２０６　情報蓄積部
１２０７　メニュー表示部
１２０８　プログラム実行部
１３０１　データ保持部
１３０２　データ送信部
１４０１　レンタル希望情報受信部
１４０２　課金料算出部
【図１】
2004139497.tif 000003
【図２】
2004139497.tif 000004
【図３】
2004139497.tif 000005
【図４】
2004139497.tif 000006
【図５】
2004139497.tif 000007
【図６】
2004139497.tif 000008
【図７】
2004139497.tif 000009
【図８】
2004139497.tif 000010
【図９】
2004139497.tif 000011
【図１０】
2004139497.tif 000012
【図１１】
2004139497.tif 000013
【図１２】
2004139497.tif 000014